(57)【要約】【課題】ロック機構の部品や構造をできるだけ変更することなく防火性能を高くすることのできるシャッター及びシャッター付サッシを提供する。【解決手段】上枠１０と下枠１１及び左右の縦枠１２，１２を枠組みしてなる枠体１を有し、上枠１０は扉体３を支持すると共に巻き上げて収納自在な収納部２を有し、扉体３は下端部に幅木部材３１を有し、幅木部材３１はロック機構３２を配置する空間部３１ｃを有し、空間部３１ｃに臨むように加熱発泡材３４が設けられ、空間部３１ｃは、幅木部材３１の室外側壁３１ａと、幅木部材３１に室内側から取付けられるロックカバー材３３とに囲まれて形成され、加熱発泡材３４は幅木部材３１の室外側壁３１ａに設けられる。【選択図】図３
2014077324.tif 000002
【特許請求の範囲】
【請求項１】
上枠と下枠及び左右の縦枠を枠組みしてなる枠体を有し、前記上枠は扉体を支持すると共に巻き上げて収納自在な収納部を有するシャッターにおいて、
前記扉体は下端部に幅木部材を有し、該幅木部材はロック機構を配置する空間部を有し、該空間部に臨むように加熱発泡材が設けられることを特徴とするシャッター。
【請求項２】
前記空間部は、前記幅木部材の室外側壁と、前記幅木部材に室内側から取付けられるロックカバー材とに囲まれて形成され、前記加熱発泡材は前記幅木部材の室外側壁に設けられることを特徴とする請求項１記載のシャッター。
【請求項３】
前記ロック機構には樹脂部品が用いられ、前記加熱発泡材は前記樹脂部品が溶融温度に達する前に発泡することを特徴とする請求項１または２記載のシャッター。
【請求項４】
サッシ枠体内に障子を納めてなり、請求項１〜３のいずれか１項に記載のシャッターを室外側に一体的に有してなることを特徴とするシャッター付サッシ。
【発明の詳細な説明】
【技術分野】
【０００１】
本発明は、建物開口部に設けられる枠体の上枠に巻回自在な扉体を納める収納部を設けたシャッター及びシャッター付サッシに関し、特に扉体の下端に設けられる幅木部材における防火性能を高めたシャッター及びシャッター付サッシに関する。
【背景技術】
【０００２】
枠体の上枠に巻回自在な扉体を納める収納部を設けたシャッターやシャッター付サッシが建物開口部に設けられることがある。シャッターの扉体は、複数のスラットを上下方向に連結してなり、下端部には扉体の略全幅に渡る幅木部材が設けられる。幅木部材は、室外側面に持ち手部を備え、さらに、扉体を閉じた際にロック状態とするロック機構が内蔵されている。このようなシャッターとして例えば特許文献１に挙げるようなものがある。
【先行技術文献】
【特許文献】
【０００３】
【特許文献１】特開２０１０−１６３７４０号公報
【発明の概要】
【発明が解決しようとする課題】
【０００４】
シャッターにおいては、高い防火性能を求められる場合がある。火災は、シャッターの室内側で発生する場合と室外側で発生する場合とがあるが、いずれの場合でも、シャッターによる室内外の遮蔽状態が維持されることが求められる。火災時において、扉体が高温に晒されても閉塞状態を維持することが、防火性能の確保には必要となる。扉体は鋼製であるため、火災発生時にも基本的には閉塞状態を維持することができる。一方、幅木部材内に内蔵されたロック機構には、樹脂部品も用いられているが、これが溶融して脱落することにより、発火する可能性があって、これを防止する必要があった。
【０００５】
火災発生時のロック機構における樹脂部品の脱落を防止するため、ロック機構に難燃性の部品を採用することや、ロック機構内に熱が侵入することを防止するような構造とすることも考えられる。しかし、このように部品の材料や構造を防火用に変更すると、通常のシャッターとの部品及び構造の差異が大きく、部品の共用化が図れないことによってコストを大きくする要因となっていた。
【０００６】
本発明は前記課題を鑑みてなされたものであり、ロック機構の部品や構造をできるだけ変更することなく防火性能を高くすることのできるシャッター及びシャッター付サッシを提供することを目的とする。
【課題を解決するための手段】
【０００７】
前記課題を解決するため、請求項１の発明に係るシャッターは、上枠と下枠及び左右の縦枠を枠組みしてなる枠体を有し、前記上枠は扉体を支持すると共に巻き上げて収納自在な収納部を有するシャッターにおいて、
前記扉体は下端部に幅木部材を有し、該幅木部材はロック機構を配置する空間部を有し、該空間部に臨むように加熱発泡材が設けられることを特徴として構成されている。
【０００８】
請求項１に係る発明によれば、火災発生時には加熱発泡材がロック機構を含む空間部を充填し、ロック機構に用いられている樹脂部品を閉じ込めることができる。
【０００９】
また、請求項２の発明に係るシャッターは、前記空間部は、前記幅木部材の室外側壁と、前記幅木部材に室内側から取付けられるロックカバー材とに囲まれて形成され、前記加熱発泡材は前記幅木部材の室外側壁に設けられることを特徴として構成されている。
【００１０】
請求項２に係る発明によれば、火災発生時に加熱発泡材に対し幅木部材から熱が伝わりやすく、加熱発泡材が早期に発泡して空間部を充填すると共に、発泡する空間が幅木部材とロックカバー材で規制されるため、ロック機構内を高密度に充填することができる。
【００１１】
さらに、請求項３の発明に係るシャッターは、前記ロック機構には樹脂部品が用いられ、前記加熱発泡材は前記樹脂部品が溶融温度に達する前に発泡することを特徴として構成されている。
【００１２】
請求項３に係る発明によれば、火災発生時に樹脂部品が溶融する前に、加熱発泡材でロック機構を充填し、溶融した樹脂材の外部への流出を防止することができる。
【００１３】
また、請求項４の発明に係るシャッター付サッシは、サッシ枠体内に障子を納めてなり、前記いずれかのシャッターを室外側に一体的に有してなることを特徴として構成されている。
【発明の効果】
【００１４】
本発明に係るシャッター及びシャッター付サッシによれば、加熱発泡材により火災発生時にロック機構の樹脂部品を閉じ込めることができるので、ロック機構の部品や構造をできるだけ変更することなく防火性能を高くすることができる。
【図面の簡単な説明】
【００１５】
【図１】本実施形態におけるシャッターの縦断面図である。
【図２】本実施形態におけるシャッターの横断面図である。
【図３】幅木部材付近の拡大縦断面図である。
【図４】幅木部材とロック機構及びロックカバー材の分解斜視図である。
【図５】ロック機構の正面図である。
【図６】被押圧部が押圧された際のロック機構の正面図である。
【発明を実施するための形態】
【００１６】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、箱状を有する収納部２を有する上枠１０と下枠１１及び左右の縦枠１２，１２を方形状に枠組みした枠体１を有してなるものであり、この枠体１が建物開口部の室外側部分に取付けられる。
【００１７】
収納部２は、上面２０と下面２１及び側面２２を有しており、側面２２には巻き取り軸２３が回動自在に取付けられていて、多数のスラット３０を上下方向に連結してなる扉体３を巻回可能としており、収納部２内に扉体３を収納可能となるように構成されている。扉体３は、収納部２の下部に形成された開口部２４から下方に引き出し自在となっている。なお、図１は扉体３を引き出して全閉とした状態を表している。
【００１８】
収納部２を有する上枠２０は、上面２０を構成する上側部材１５と、下面２１を構成する下側部材１６とを有し、収納部２はさらに、側面２２を構成する側面部材１８と、上側部材１５から収納部２の室外側面を構成するカバー部材１７を有している。
【００１９】
縦枠１２の室外側には、扉体３の左右端部を上下方向に案内するガイドレール部材１３が設けられている。ガイドレール部材１３は、扉体３の左右端部を飲み込む凹状の案内部１３ａを備えている。
【００２０】
扉体３の下端部には、ガイドレール部材１３間の略全長に渡る幅を有した幅木部材３１が設けられる。幅木部材３１は、面状に形成された室外側壁３１ａの室外側に、逆Ｌ字状に突出する一体的な把手部３１ｂを有し、室外側壁３１ａの室内側にはロックカバー材３３が設けられている。室外側壁３１ａとロックカバー材３３に囲まれた領域には、扉体３が全閉となったときに幅木部材３１をロックするロック機構３２が納められる。
【００２１】
下枠１１の室外側部には、幅木部材３１を納めることができる凹状の溝部１１ａが形成されている。幅木部材３１を枠体１の下端部に配置することで、幅木部材３１が溝部１１ａに納められると共に、溝部１１ａを構成する下枠１１の室外側面１１ｂを、幅木部材３１の把手部３１ｂが跨いだ状態となる。
【００２２】
幅木部材３１及びロック機構３２についてより詳細に説明する。図３には幅木部材３１付近の拡大縦断面図を示している。幅木部材３１の上端部は、扉体３の下端部に対して上下に振れる方向に回動自在となるように固定されている。幅木部材３１は、扉体３に対して回動するのに伴い、上部に設けられた回動中心部３１ｄを中心に回動押圧部材３１ｅを回動自在となるように保持している。
【００２３】
幅木部材３１の室外側壁３１ａには、ロック機構３２が配置される空間部３１ｃに臨むように加熱発泡材３４が配置される。加熱発泡材３４は、シート状に形成されてなり、所定温度以上となることで発泡して体積が増加するものである。
【００２４】
図４には、幅木部材３１とロック機構３２及びロックカバー材３３の分解斜視図を示している。この図に示すように、幅木部材３１の長手方向中央位置において、室外側壁３１ａに加熱発泡材３４が取付けられ、この加熱発泡材３４を覆うようにロック機構３２が幅木部材３１の室外側壁３１ａに対して取付けられ、さらにロック機構３２を覆うようにロックカバー材３３が幅木部材３１の室外側壁３１ａに対して取付けられる。ロック機構３２は、室外側に開放された凹状に形成されてなる本体部材４０を有しており、幅木部材３１の室外側壁３１ａとの間に空間部３１ｃを形成する。
【００２５】
ロック機構３２の構成について説明する。図５には、ロック機構３２の正面図を示している。ロック機構３２は、本体部材４０と、本体部材４０の上部に突出する被押圧部４１と、被押圧部４１と連係し本体部材４０に対して回動自在な第１回動部材４２と、第１回動部材４２と連係し本体部材４０に対して回動自在な第２回動部材４３と、第１回動部材４２と第２回動部材４３とを連係させる付勢部材４４とを有して構成されている。ロック機構のうち、被押圧部４１は樹脂材によって形成され、それ以外の部品は金属材によって形成されている。
【００２６】
本体部材４０には下部に凹状部４０ａが形成されており、第２回動部材４３には凹状のロック凹部４３ａが形成されている。図５では、第２回動部材４３のロック凹部４３ａが本体部材４０の凹状部４０ａ内に配置されていて、下枠１１に固定されている係止部１１ｃを凹状部４０ａとロック凹部４３ａで囲んでおり、幅木部材３１が下枠１１にロックされた状態となっている。
【００２７】
図６には、被押圧部４１が押圧された際のロック機構３２の正面図を示している。扉体３が閉じた状態から開く際には、把手部３１ｂを手で持って幅木部材３１を持ち上げるが、このとき、幅木部材３１が回動中心部３１ｄを中心に上側に回動するのに伴って、回動押圧部材３１ｅがロック機構３２の被押圧部４１を下方に押圧する。これにより、第１回動部材４２が回動すると共に、第２回動部材４３が回動し、ロック凹部４３ａ内に保持された下枠１１の係止部１１ｃは、本体部材４０の凹状部４０ａから下方に押し出される。これにより、幅木部材３１の下枠１１に対するロック状態は解除され、扉体３を開くことができるようになる。
【００２８】
かかる構成のロック機構３２において、被押圧部４１が樹脂製であることにより、金属製の回動押圧部材３１ｅによる押圧動作において、金属材同士が衝突することがなく、円滑にロック解除の動作をなすことができる。一方で、火災発生時にサッシが高温に晒された場合には、被押圧部４１が溶融し、可燃ガスを発生して発火する可能性がある。また、第１回動部材４２や第２回動部材４３の回動中心となる軸部にも、樹脂部品が用いられている。
【００２９】
幅木部材３１の室外側壁３１ａに設けられた加熱発泡材３４は、被押圧部４１及びその他の樹脂部品を構成する樹脂材が融点に達する前に発泡を開始し、樹脂部品が溶融する前にロック機構３２が配置された空間部３１ｃを充填する。このとき、ロック機構３２の第１回動部材４２及び第２回動部材４３が配置された部分が加熱発泡材３４で充填されてしまうので、被押圧部４１やその他樹脂部品が溶融しても、加熱発泡材３４によりこれを閉じ込めることができ、溶融した樹脂材が幅木部材３１の外部に流出したり、可燃ガスが流出したりすることを防止することができる。
【００３０】
特に、加熱発泡材３４が幅木部材３１の室外側壁３１ａに設けられていることで、火災発生時には金属製の室外側壁３１ａが高温になるため、加熱発泡材３４に対して熱が伝わりやすく、いち早く加熱発泡材３４の発泡を開始して空間部３１ｃを充填することができる。
【００３１】
本実施形態では、幅木部材３１の室外側壁３１ａに加熱発泡材３４を設けているが、空間部３１ｃに臨む室内側壁、すなわちロックカバー材３３の室内側壁に加熱発泡材３４を設けるようにしてもよい。
【００３２】
以上、本発明の実施形態について説明したが、本発明の適用は本実施形態には限られず、その技術的思想の範囲内において様々に適用されうるものである。本実施形態では、枠体１を有するシャッターについて説明したが、このシャッターは、方形状に枠組みされたサッシ枠体内に障子を納めてなるサッシの室外側に一体化されたシャッター付サッシに用いられるものである。
【符号の説明】
【００３３】
１    枠体
２    収納部
３    扉体
１０    上枠
１１    下枠
１２    縦枠
１３    ガイドレール部材
１４    端部キャップ
２３    巻き取り軸
３０    スラット
３１    幅木部材
３１ａ  室外側壁
３１ｂ  把手部
３１ｃ  空間部
３２    ロック機構
３３    ロックカバー材
３４    加熱発泡材
【図１】
2014077324.tif 000003
【図２】
2014077324.tif 000004
【図３】
2014077324.tif 000005
【図４】
2014077324.tif 000006
【図５】
2014077324.tif 000007
【図６】
2014077324.tif 000008